(57)【要約】【課題】一又は複数の携帯型電子機器に記憶されているコンテンツファイルの再生をコンテンツ再生装置により容易とするコンテンツ再生システムを提供する。【解決手段】コンテンツ再生システムは、一又は複数の携帯型電子機器と、コンテンツ再生装置を構成要素とする。個人的利用を主とする携帯型電子機器は、音楽ファイルとそのファイル名とを対応付けたプレイリストファイルを作成し、コンテンツ再生装置は、このファイルを一元管理して大量のコンテンツファイルの再生制御を行う。【選択図】図１
2008123621.tif 000002
【特許請求の範囲】
【請求項１】
コンテンツファイルを記憶する記憶手段と、
前記記憶手段により記憶されたコンテンツファイルを再生する再生手段と、
無線通信を行う通信手段と、を有する一又は複数の携帯型電子機器と、
前記一又は複数の携帯型電子機器と無線通信を行う通信手段と、
前記通信手段により前記一又は複数の携帯型電子機器から無線送信されるコンテンツ情報を受信して記憶するコンテンツ情報記憶手段と、
前記コンテンツ情報記憶手段により記憶されたコンテンツ情報から、前記通信手段を用いて前記一又は複数の携帯型電子機器の再生手段に所定のコンテンツファイルの再生を指示する再生指示手段と、
前記再生指示手段により再生指示したコンテンツファイルを前記通信手段により受信して放音する放音手段と、を有するコンテンツ再生装置と、
を備えることを特徴とするコンテンツ再生システム。
【請求項２】
前記携帯型電子機器は、
前記記憶されたコンテンツファイルの一覧を示すプレイリストファイルを生成し、当該プレイリストファイルを前記通信手段により前記コンテンツ再生装置に送信させるリスト制御手段をさらに有し、
前記コンテンツ再生装置は、
前記コンテンツ情報はプレイリストであり、
前記通信手段によって前記生成されたプレイリストファイルを受信し、受信したプレイリストファイルに基づいて携帯型電子機器毎に管理する管理リストファイルを生成する管理リスト生成手段をさらに有し、前記再生指示手段は、前記管理リストファイルに基づいて再生対象のコンテンツファイルを記憶する携帯型電子機器を判別し、前記通信手段によって当該携帯型電子機器に再生対象のコンテンツファイルの再生を指示することを特徴とする請求項１に記載のコンテンツ再生システム。
【請求項３】
コンテンツファイルを記憶する記憶手段と、
前記記憶手段により記憶されたコンテンツファイルを再生する再生手段と、
無線通信を行う通信手段と、
を備えることを特徴とする携帯型電子機器。
【請求項４】
前記記憶されたコンテンツファイルの一覧を示すプレイリストファイルを生成し、当該プレイリストファイルを前記通信手段により送信させるリスト制御手段をさらに備えることを特徴とする請求項３に記載の携帯型電子機器。
【請求項５】
一又は複数の携帯型電子機器と無線通信を行う通信手段と、
前記通信手段により前記一又は複数の携帯型電子機器から無線送信されるコンテンツ情報を受信して記憶するコンテンツ情報記憶手段と、
前記コンテンツ情報記憶手段により記憶されたコンテンツ情報から、前記通信手段を用いて前記一又は複数の携帯型電子機器の再生手段に所定のコンテンツファイルの再生を指示する再生指示手段と、
前記再生指示手段により再生指示したコンテンツファイルを前記通信手段により受信して放音する放音手段と、
を備えることを特徴とするコンテンツ再生装置。
【請求項６】
前記コンテンツ情報はプレイリストであり、
前記通信手段によって前記生成されたプレイリストファイルを受信し、受信したプレイリストファイルに基づいて携帯型電子機器毎に管理する管理リストファイルを生成する管理リスト生成手段をさらに有し、
前記再生指示手段は、前記管理リストファイルに基づいて再生対象のコンテンツファイルを記憶する携帯型電子機器を判別し、前記通信手段によって当該携帯型電子機器に再生対象のコンテンツファイルの再生を指示することを特徴とする請求項５に記載のコンテンツ再生装置。
【発明の詳細な説明】
【技術分野】
【０００１】
本発明は、複数のコンテンツファイルを記憶可能な携帯型電子機器と、複数のコンテンツファイルを結合させて一元管理するコンテンツ再生装置と、これら装置を構成要素とするコンテンツ再生システムと、に関する。
【背景技術】
【０００２】
近年、音楽を記憶及び再生する機能を持つ携帯電話が多数存在するとともに、携帯電話におけるコンテンツビジネスも活発である。ユーザは、携帯電話でインターネット上の楽曲サイトにアクセスして、音楽ファイルをダウンロードしたり、個人でリッピング等したりして、携帯電話の外部記憶媒体（ハードディスクやメモリ等）に記憶する。
ユーザは、携帯電話の音楽プレーヤ機能により記憶した音楽ファイルを起動し再生することで、携帯電話のスピーカやヘッドホンから自分が収集した好みの音楽を楽しむことができる。携帯電話から収集した音楽は、個人で楽しむために供される場合が多い一方、ユーザの中には収集した音楽を多人数で視聴して楽しみたいという要望がある。
【０００３】
これまで、図７に示すように、携帯電話２１とオーディオ機器３０を接続した再生システムが利用されている。携帯電話２１で音楽ファイルが再生されると、アナログ音楽信号がラインケーブルを介して外部オーディオ機器へ入力される。この信号が外部オーディオ機器により増幅され、スピーカを通して出力される。
一つの携帯電話に複数の音楽ファイルが記憶されていれば、複数のメディアは必要とせず、メディアの嵩張りを気にする必要はない。また、異なる楽曲やジャンル等の視聴であってもメディアの交換作業を必要とせず、効率的な再生を行うことができる。
【０００４】
しかし、図７に示す構成では、携帯電話２１とオーディオ機器３０を物理的に接続しなければならないため、そのためのラインケーブル等が必要となる。ケーブルが手元にない場合、或いはケーブルに断線等の欠陥があった場合には音楽自体を聞くことができない。
【０００５】
このような視聴の際の煩雑さを改善するべく、近年、無線通信技術を利用した簡素な音楽再生システムが考えられている。例えば、特許文献１に示すように、ブルートゥース（Bluetooth）（登録商標）等の無線通信規格を用いた音楽再生システムがある。これによれば、携帯電話に記憶された音楽ファイルの視聴の際にケーブル等の周辺部品は必要なく、煩雑な作業を要しない。
【特許文献１】特開２００３−１３２６６２号公報
【発明の開示】
【発明が解決しようとする課題】
【０００６】
しかし、特許文献１に示すような音楽再生システムの場合、携帯電話２１とオーディオ機器３０とが１対１の接続となる。音楽ファイルが記憶された携帯電話を複数人が個々に所有している場合であって、これらの音楽ファイルを効率的に再生するには結局のところ、ケーブルを付け替えて個々にオーディオ機器へ接続して再生する従来の再生方法と何ら変わりがない。
【０００７】
本発明の課題は、一又は複数の携帯型電子機器に記憶されているコンテンツファイルの再生を容易とすることにある。
【課題を解決するための手段】
【０００８】
請求項１に記載の発明は、
コンテンツファイルを記憶する記憶手段と、
前記記憶手段により記憶されたコンテンツファイルを再生する再生手段と、
無線通信を行う通信手段と、を有する一又は複数の携帯型電子機器と、
前記一又は複数の携帯型電子機器と無線通信を行う通信手段と、
前記通信手段により前記一又は複数の携帯型電子機器から無線送信されるコンテンツ情報を受信して記憶するコンテンツ情報記憶手段と、
前記コンテンツ情報記憶手段により記憶されたコンテンツ情報から、前記通信手段を用いて前記一又は複数の携帯型電子機器の再生手段に所定のコンテンツファイルの再生を指示する再生指示手段と、
前記再生指示手段により再生指示したコンテンツファイルを前記通信手段により受信して放音する放音手段と、を有するコンテンツ再生装置と、
を備えることを特徴としている。
【０００９】
請求項２に記載の発明は、請求項１に記載の発明において、
前記携帯型電子機器は、
前記記憶されたコンテンツファイルの一覧を示すプレイリストファイルを生成し、当該プレイリストファイルを前記通信手段により前記コンテンツ再生装置に送信させるリスト制御手段をさらに有し、
前記コンテンツ再生装置は、
前記コンテンツ情報はプレイリストであり、
前記通信手段によって前記生成されたプレイリストファイルを受信し、受信したプレイリストファイルに基づいて携帯型電子機器毎に管理する管理リストファイルを生成する管理リスト生成手段をさらに有し、前記再生指示手段は、前記管理リストファイルに基づいて再生対象のコンテンツファイルを記憶する携帯型電子機器を判別し、前記通信手段によって当該携帯型電子機器に再生対象のコンテンツファイルの再生を指示することを特徴としている。
【００１０】
請求項３に記載の発明は、
コンテンツファイルを記憶する記憶手段と、
前記記憶手段により記憶されたコンテンツファイルを再生する再生手段と、
無線通信を行う通信手段と、
を備えることを特徴としている。
【００１１】
請求項４に記載の発明は、請求項３に記載の発明において、
前記記憶されたコンテンツファイルの一覧を示すプレイリストファイルを生成し、当該プレイリストファイルを前記通信手段により送信させるリスト制御手段をさらに備えることを特徴としている。
【００１２】
請求項５に記載の発明は、
一又は複数の携帯型電子機器と無線通信を行う通信手段と、
前記通信手段により前記一又は複数の携帯型電子機器から無線送信されるコンテンツ情報を受信して記憶するコンテンツ情報記憶手段と、
前記コンテンツ情報記憶手段により記憶されたコンテンツ情報から、前記通信手段を用いて前記一又は複数の携帯型電子機器の再生手段に所定のコンテンツファイルの再生を指示する再生指示手段と、
前記再生指示手段により再生指示したコンテンツファイルを前記通信手段により受信して放音する放音手段と、
を備えることを特徴としている。
【００１３】
請求項６に記載の発明は、請求項５に記載の発明において、
前記コンテンツ情報はプレイリストであり、
前記通信手段によって前記生成されたプレイリストファイルを受信し、受信したプレイリストファイルに基づいて携帯型電子機器毎に管理する管理リストファイルを生成する管理リスト生成手段をさらに有し、
前記再生指示手段は、前記管理リストファイルに基づいて再生対象のコンテンツファイルを記憶する携帯型電子機器を判別し、前記通信手段によって当該携帯型電子機器に再生対象のコンテンツファイルの再生を指示することを特徴としている。
【発明の効果】
【００１４】
本発明によれば、
携帯型電子機器は、音楽ファイル、音声ファイル、テキストファイル及び画像ファイル等のコンテンツファイルを記憶し、コンテンツ再生装置へ送信することができる。また、コンテンツ再生装置では受信した複数のコンテンツファイルを再生することができる。これにより、ユーザはコンテンツ再生装置から所在の異なる複数のコンテンツファイルを簡易に選択することができ、選択したコンテンツファイルの再生を複数人で楽しむことができる。
【発明を実施するための最良の形態】
【００１５】
以下、本発明に係る携帯型電子機器、コンテンツ再生装置、コンテンツ再生システムのそれぞれについて最適な実施形態の構成及び動作について、図面を用いて詳細に説明する。なお、説明の便宜上、図７において説明した構成要素に対応する要素には、同様の参照符号を使用することとする。
また、本実施形態においてはコンテンツデータを音楽データとして説明するが、これに限らずその他のコンテンツ（音声、画像、テキスト等）データであってもよい。
ここで、コンテンツファイルとは、コンテンツデータ及びコンテンツデータに関するデータ（アーティスト名やジャンル名等の関連情報データ）を含むファイルとする。
【００１６】
まず図１に、本発明によるコンテンツ再生システム１００の概略図を示す。
携帯電話２１〜２３は、記憶手段、再生手段、通信手段、リスト制御手段を少なくとも備え、通信手段を備えたオーディオ機器３０の周辺に配置される。なお、これらの各手段については後述する。また、本実施形態においては、携帯電話２１〜２３が本発明に係る携帯型電子機器であり、これらを携帯型電子機器２０と総称する。また、オーディオ機器３０が本発明に係るコンテンツ再生装置である。
【００１７】
携帯型電子機器２０と、オーディオ機器３０との相互間通信は、無線通信によって行われ、その無線通信方式としてはブルートゥース（Bluetooth）（登録商標）、無線ＬＡＮ、赤外線通信（IrDA;Infrared Data Association）等が適用可能である。携帯電話２１〜２３と、オーディオ機器３０との相互間距離は、ブルートゥースであれば、１０ｍ程度の距離があっても障害物の有無に関らず通信可能である。
以下に説明する本実施形態においては、利便性やコスト面等の観点からブルートゥースを採用した例を説明する。
【００１８】
次に、上述したコンテンツ再生システム１００の構成要素となる携帯型電子機器２０、並びにオーディオ機器３０について順次説明する。なお、ここでは携帯電話２１を主として説明を行うが、携帯電話２２、２３も基本的な構成機能は同一である。
【００１９】
図２は、携帯電話２１の構成図である。
携帯電話２１は、制御部１、操作部２、表示部３、入出力端子４、通信部５、記憶部６、受信部７、復調部８、復号化部９、音声制御部１０、スピーカ１１、マイク１２により構成されている。
なお、本実施形態においては、制御部１がプレイリストファイルを作成するリスト制御手段及び音楽を再生する再生手段、通信部５が、音楽ファイルやプレイリストファイルの送受信を行う通信手段、記憶部６が、音楽ファイルやプレイリストファイルを記憶する記憶手段、として機能する。
ここで、音楽ファイルとは、音源となる音楽データ及び音楽データに関するデータ（アーティスト名、アルバム名、ジャンル名、トラック名等の関連情報）を含むものである。また、プレイリストファイルとは、音楽ファイルと対応付けて作成されるファイルである（図５参照）。
【００２０】
制御部１は、ＣＰＵ（Central Processing Unit）、ＲＡＭ（Random Access Memory）等から構成され、記憶部６に格納されている所定のプログラムをＲＡＭに展開し、当該プログラムとの協働により処理動作を統括的に制御する。
なお、音楽機能が付加された携帯電話２１であれば、制御部１が記憶部６の備える所定のプログラムを実行し、アナログ信号をイヤホン等の付属品が接続された入出力端子４を介して伝送する事で、ユーザに音楽を提供する。
【００２１】
操作部２は、電源のＯＮ／ＯＦＦ、機能の選択、文字や数字の入力、電話の送受信、表示切替等を指示する各種操作ボタンを備える。操作部２は、これら各種操作ボタンが押下されることにより、指示内容に応じた入力信号を生成して制御部１へ出力する。ユーザが、携帯電話２１に備えられている音楽プレーヤを起動させる際には、ここで所定の起動指示を行う。
【００２２】
表示部３は、ＬＣＤ（Liquid Crystal Display）やＥＬ（Electro Luminescence）等により構成され、制御部１の表示制御に従って操作画面等の各種情報を表示する。各種情報には、制御部１により作成されたプレイリストファイルも含まれる。
【００２３】
入出力端子４は、携帯電話２１にデジタルカメラやキーボード、イヤホン等の周辺機器や付属品を接続するためのインターフェイスである。
【００２４】
通信部５は、ブルートゥースや赤外線通信等の無線通信用インターフェイスを備え、電話番号データやメールアドレスデータ等の各種データの送受信を行う。また、通信部５は、音楽ファイルやプレイリストファイル等のデータの送受信や、複数の携帯電話２１〜２３を個別に識別する相互認証を行う。相互認証により識別された識別データは、記憶部６へ出力される。
【００２５】
記憶部６は、不揮発性の半導体メモリ等を備え、電話番号データ、メールアドレスデータ等を氏名データと対応付けて記憶する。
また、記憶部６は、音楽ファイルやプレイリストファイルを記憶する。プレイリストファイルは、制御部１の統括的制御により記憶部６が備える所定のプログラムを実行することで作成されるものである。
【００２６】
受信部７は、ＲＦ（Radio Frequency）回路等により構成され、基地局ＢからアンテナＡを介して受信した搬送周波数帯の信号を、後述する復調部８で処理可能な周波数に変換する。
【００２７】
復調部８は、受信部７から入力された信号に携帯電話２１固有のＰＮ（Pseudo-Noise）符号（拡散符号）を乗算して、拡散されている受信信号を元の周波数帯域幅に戻す処理（逆拡散）を行う。
【００２８】
復号化部９は、コーデック（CODEC）等により構成され、復調部８から入力されたデジタル信号を音声信号等のアナログ信号に変換する処理（復号化）を行う。
【００２９】
音声制御部１０は、復号化部９から入力された音声信号を増幅器により増幅しスピーカ１１により外部に出力させ、マイク１２から入力される音声信号を復号化部９へ出力する。
【００３０】
次に、オーディオ機器３０の構成について説明する。
図３に示すように、オーディオ機器３０は、システムマイコン３１、表示部３２、操作部３３、ＣＤ／ＭＤ装置３４、ＵＳＢマイコン３５、無線通信部３６、記憶部３７、外部オーディオ回路３８、オーディオセレクタ３９、ＡＭＰ回路４０、及びスピーカ４１により構成されている。
なお、本実施形態においては、システムマイコン３１が管理リストファイルを作成する管理リスト生成手段、携帯型電子機器に対して音楽の再生指示を行う再生指示手段、無線通信部３６が、音楽ファイルやプレイリストファイルの受信を行う通信手段、記憶部３７が、音楽ファイルやプレイリストファイル、管理リストファイルを記憶するコンテンツ情報記憶手段、スピーカ４１が放音手段として機能する。
【００３１】
システムマイコン３１は、ＣＰＵ（Central Processing Unit）、ＲＯＭ（Read Only Memory）、ＲＡＭ（Random Access Memory）等を備える。ＣＰＵは、ユーザによる操作部３３からのキー操作に応じて、ＲＯＭに格納されている各種制御プログラムを読み出す。その後、ＣＰＵは、読み出した制御プログラムに従って各部に信号ｓ１〜ｓ７を出力し、各部の動作を集中制御する。
【００３２】
表示部３２は、ＬＣＤ（Liquid Crystal Display）等を備え、システムマイコン３１から入力される表示信号ｓ７の指示に従って、表示画面上に、動作状況の表示を行う。例えば、現在再生されている音楽のトラック番号や進行時間、ディスクの全録音時間等の情報や動作モード等が表示される。また、表示部３２は、プレイリストファイルに基づきプレイリストの一覧表示を行う。
【００３３】
操作部３３は、ＥＪＥＣＴキー、ソース（ＣＤ／ＭＤ／ＵＳＢ／ブルートゥース）指定キー、再生キー、テンキー、ＳＫＩＰ ＵＰ／ＤＯＷＮキー、停止キー等の各種機能キーを備える。
【００３４】
ＣＤ／ＭＤ装置３４は、システムマイコン３１から入力される制御信号ｓ３に基づいて、装填されたＣＤ又はＭＤに記録されている音楽信号やその他の記録情報の再生に係る各種動作を行う。ここで処理された信号は、信号ラインＬ１を介してオーディオセレクタ３９に出力される。
【００３５】
ＵＳＢマイコン３５は、携帯電話２１とＵＳＢ接続した際に、オーディオ機器３０と携帯電話２１とのデータやコマンドの送受信を行う。
【００３６】
無線通信部３６は、携帯電話２１と無線接続し、システムマイコン３１から入力される音楽再生要求や送信要求のコマンドを携帯電話２１へ送信する。
また、無線通信部３６は、上述の構成及び処理の他、携帯電話２１との相互認証を行う。
【００３７】
記憶部３７は、上述した相互認証により作成された認証ＩＤを記憶する。また、記憶部３７は、携帯電話２１から入力されるプレイリストファイルを記憶する。無線通信部３６は、このプレイリストファイルに基づいて音楽ファイルの再生指示信号を携帯電話２１に出力する。
【００３８】
外部オーディオ回路３８は、Ｄ／Ａ変換器、Ａ／Ｄ変換器（図示省略）を備えている。Ｄ／Ａ変換器は、信号ラインＬ２又はＬ３を介して入力された外部音声信号をアナログ信号に変換し、信号ラインＬ４を介してオーディオセレクタ３９に出力する。
【００３９】
オーディオセレクタ３９は、制御信号ｓ２に従い、信号ラインＬ１、Ｌ４からの入力信号のうち信号ラインＬ５を介してＡＭＰ回路４０に出力する信号を選択する。この処理はオーディオ再生時に行われる。
【００４０】
ＡＭＰ回路４０は、信号ラインＬ５を介して入力された信号を、システムマイコン３１から入力される制御信号ｓ１に基づいて増幅し、信号ラインＬ６を介してスピーカ４１に出力し、スピーカ４１から音声や音楽を出力させる。
【００４１】
次に、上述してきたコンテンツ再生システム１００における携帯型電子機器２０及びオーディオ機器３０の相互間で行う、データ通信処理について説明する。
【００４２】
図４は、携帯型電子機器２０とオーディオ機器３０とが無線通信により接続されてから音楽が再生されるまでの一連のデータ処理動作について示すフローチャートである。
ここで、携帯型電子機器２０においては、音楽ファイルの再生モードとして複数の携帯電話がそれぞれ有する音楽ファイルを、オーディオ機器３０において連続再生することが可能なパーティーモードが用意されていることとする。
【００４３】
まず、音楽再生にあたりユーザは、携帯電話２１をオーディオ機器３０の周辺に配置する。両者の相互距離は、ブルートゥースの通信可能距離である１０ｍ以内が望ましい。なお、配置の形態としてはブルートゥースなどによる無線通信手段の接続維持が可能であれば、個々の携帯電話のユーザがポケットや鞄の中に入れた状態であってもよい。
この状態において、携帯電話２１とオーディオ機器３０は相互認証を行う（ステップＳ１）。ここで、相互認証とは、いわゆるペアリング処理であって、二つのブルートゥース搭載機器同士が互いにデータの共有が可能かどうかを認識する処理であり、接続相手を特定する処理である。相互認証は、ユーザによって携帯電話２１からパーティーモードの指定操作が行われると開始する。携帯電話２２、２３においても同様とする。
【００４４】
相互認証を終了すると、オーディオ機器３０は各携帯電話２１〜２３のそれぞれを識別する認証ＩＤを記憶部３６ａに記憶する（ステップＳ２）。ここで認証ＩＤとは、相互認証時にユーザが任意に決めることができるパスキー（認証鍵）であり、接続相手の特定を行うためのＩＤである。本実施形態においては、携帯電話２１〜２３のそれぞれの認証ＩＤは、ユーザによって「１」〜「３」と割り振られている。
【００４５】
オーディオ機器３０は、周辺に配置する携帯電話の全てに対して、ユーザによって割り振られた認証ＩＤを記憶する。オーディオ機器３０は、未だ認証ＩＤを記憶していない携帯電話があれば、ステップＳ１、Ｓ２を繰り返すことで全ての携帯電話の認証ＩＤを記憶する（ステップＳ３；Ｎｏ）。例えば、新たな携帯電話（携帯電話２４）がオーディオ機器３０の周辺に配置されており、相互認証されていない場合には、オーディオ機器３０は、携帯電話２４についての相互認証処理を再度行い、携帯電話２４に対して認証ＩＤ「４」を記憶する。
オーディオ機器３０の周辺に相互認証すべき携帯電話が配置されていない場合には、次の処理へ進む（ステップＳ３；Ｙｅｓ）。なお、ステップＳ３以降に新たな携帯電話をオーディオ機器３０の周辺へ配置してこの携帯電話をパーティーモードとした場合であっても、オーディオ機器３０は、相互認証及び認証ＩＤの記憶処理（ステップＳ１、Ｓ２）を行う。
【００４６】
次に、オーディオ機器３０と相互認証によって認証ＩＤが割り振られた携帯電話２１〜２３は、それぞれが作成したプレイリストファイルをオーディオ機器３０へと送信する（ステップＳ４）。
【００４７】
ここで、図５のＴ１１〜Ｔ１３に、携帯電話２１〜２３が作成するプレイリストファイルのファイル例を示す。携帯電話２１では、ファイル名が「ファイル１」、「ファイル２」、「ファイル３」の３つのファイルを選択可能な一つのプレイリストファイルを作成している。プレイリストファイルにおいて、ファイル名に対応付けられた音楽ファイルのファイル形式は、ｍｐ３であってもｗｍａであってもよい。携帯電話２２、２３についても同様に、ファイル名を「ファイル４〜６」、「ファイル７、８」とするプレイリストファイルが作成される。
このプレイリストファイルは、既述した音楽ファイルと対応付けて作成される。プレイリストファイルのファイル形式は、文字データのみが含まれるテキストファイルやテキストの性質を保持するＨＴＭＬ等である。これらのファイル形式であれば、互換性や高速処理の観点からファイルの転送をスムーズに処理することができる。
【００４８】
図４に戻り、オーディオ機器３０は、携帯電話２１〜２３のそれぞれが作成したプレイリストファイルを取得するとともに、そのプレイリストファイルを記憶する（ステップＳ５）。
ここで、図５のＴ１４に、オーディオ機器３０が記憶するプレイリストファイルのファイル例を示す。オーディオ機器３０は、認証ＩＤごとに携帯電話２１〜２３から取得したプレイリストファイルを結合させて一元管理し、記憶する。この認証ＩＤごとに一元管理して記憶するプレイリスト（以下、「管理リストファイル」という）が、オーディオ機器３０の表示部３２に一覧表示される。これにより、オーディオ機器３０は多数のファイル名から所望の音楽ファイルの再生指示を行うことができる。
【００４９】
オーディオ機器３０は管理リストファイルから再生対象を選択し、選択されたファイル名から認証ＩＤを判別し、更にその認証ＩＤに対応する携帯電話を判別する。オーディオ機器３０は、携帯電話２１〜２３のいずれかのうち、その判別した携帯電話に対して、音楽ファイルの再生指示情報を送信する（ステップＳ６）。
また、ファイル名の選択において、オーディオ機器３０はファイル名を複数連続して選択することができる。この場合の処理については後述することとし、以下、オーディオ機器３０が「ファイル１．ｍｐ３」（図５のＴ１４参照）を選択し、再生指示情報を携帯電話２１に送信した場合について説明する。
【００５０】
携帯電話２１は、オーディオ機器３０から送信された再生指示情報を受信すると、ファイル名が「ファイル１．ｍｐ３」の音楽ファイルを再生してオーディオ機器３０へ送信する（ステップＳ７）。
一方、オーディオ機器３０は、携帯電話２１が再生して送信した音楽ファイルを受信すると、この音楽ファイルの受信データの再生処理を行う（ステップＳ８）。このように、音楽ファイルの再生処理はストリーミング再生とし、システムマイコン３１に記憶されている制御プログラムに従う。
【００５１】
オーディオ機器３０により選択されたファイル名が「ファイル１．ｍｐ３」以外にもある場合、例えば「ファイル２．ｍｐ３」と「ファイル５．ｗｍａ」のように複数選択された場合には（ステップＳ９；Ｎｏ）、オーディオ機器３０は、「ファイル１．ｍｐ３」に対応付けられた音楽の再生を完了させた後、再度ステップＳ６へ移行し、未だ再生していないファイル名について再生指示情報を携帯電話２１〜２３へ送信する処理を行う。
【００５２】
オーディオ機器３０により選択された音楽の再生順序は、ユーザが任意に決定する態様（モード）にしてもよいし、システムマイコン３１の制御プログラムに従ってランダムに再生するランダム再生モードとしてもよい。このような再生順序や再生方法等は、システムマイコン３１に記憶されている制御プログラムに従う。
【００５３】
オーディオ機器３０が携帯型電子機器２０への再生指示を完了させ、携帯型電子機器２０が音楽ファイルの再生をすべて完了させると（ステップＳ９；Ｙｅｓ）、本処理は終了する。
なお、全ての音楽ファイルの再生終了後であっても、前述したパーティーモードが解除されていない場合、オーディオ機器３０はステップＳ６へ移行して再度同様の再生指示情報を携帯電話２１〜２３へ送信することとしてもよい。
【００５４】
以上のように、本実施形態によれば、複数の携帯型電子機器２０により複数のプレイリストファイルがそれぞれ作成され、オーディオ機器３０によりこれらは携帯型電子機器２０ごとにプレイリストを管理する管理リストファイルとして一覧表示される。
ユーザは、それぞれが持ち寄った全ての音楽ファイルの視聴を楽しむことができ、個人的のみならず、複数人での視聴を楽しむことができる。
【００５５】
また、携帯型電子機器２０において、ユーザは複数の音楽ファイルをどこでも手軽に持ち運ぶことができ、プレイリストファイルから好みの曲を簡易に検索することができる。ユーザは、個人的な視聴を楽しむことができる一方で、プレイリストファイルをオーディオ機器３０へ送信すれば、ケーブルの付け替え作業の手間なく複数人での視聴を楽しむことができる。
携帯型電子機器２０が特に小型で軽量な携帯電話やＰＤＡ（Personal Digital Assistants）等であれば、ユーザは従来までの各種機能を備えたこれらの携帯情報端末に更なる付加価値を享受することができる。
【００５６】
また、オーディオ機器３０において、ユーザは複数の音楽ファイルが一覧表示された管理リストファイルから、好みの曲を選択することができる。音源が異なる場所にあった場合でも、ユーザはケーブルの付け替え作業の手間なく視聴を楽しむことができる。
【００５７】
なお、上記の実施形態の内容は本発明の好適な一例であり、これに限定されず、適宜変更可能である。
例えば、以下に説明するような、音楽ファイルに対応する関連情報（アーティスト名やジャンル名等）を用いたプレイリストファイルを作成することとしてもよい。
【００５８】
図６に、携帯電話２１〜２３が作成するプレイリストファイルＴ２１〜２３、オーディオ機器３０が記憶・管理する管理リストファイルＴ２４を示す。
携帯電話２１〜２３は、ファイル名のみならず、その他音楽データに関連する情報としてアーティスト名、アルバム名、ジャンル名、トラック名のそれぞれのメタデータを音楽ファイルと対応付けた、プレイリストファイルＴ２１〜２３を作成する。オーディオ機器３０は、携帯電話２１〜２３が作成したこのプレイリストファイルＴ２１〜２３を取得して新たな一元管理用のプレイリストファイル（管理リストファイル）Ｔ２４を作成し、記憶する。
【００５９】
なお、携帯電話２１〜２３によって生成されるプレイリストファイルの対象は、各携帯電話の記憶部６に記憶されている全てのコンテンツファイルを対象とすることに限らず、携帯電話の各々のユーザにより指定されたコンテンツであってもよい。また、ユーザが指定したコンテンツファイルを格納するパーティーモード参加専用のフォルダを対象としても良い。
【００６０】
このような管理リストファイルＴ２４の表示によりメタデータから音楽ファイルの内容を把握することが可能となる。よって、ユーザは、オーディオ機器３０において選択された楽曲がどのような楽曲であるのかが不明な場合であっても、アーティスト名やその他の情報をオーディオ機器３０が表示することによって、再生中の楽曲について知ることができる。
【００６１】
また、携帯型電子機器２０としては、携帯電話２１〜２３に限るものではない。例えば、携帯型電子機器２０は、少なくとも無線通信機能、ＨＤＤ（Hard Disk Drive）等の記憶媒体、プレイリスト作成機能を備えるオーディオプレーヤーであればよく、例えばメモリやＨＤＤを備えた携帯型オーディオプレーヤー等が該当する。
【００６２】
一方、コンテンツ再生装置については、据置き型、車載用、ポータブル、その他音楽を視聴する場面に応じた各種の態様があるが、少なくとも音楽再生機能、無線通信機能、管理リストファイルの取得及び記憶機能を備えていれば、何れの態様であってもよい。
【図面の簡単な説明】
【００６３】
【図１】コンテンツ再生システムの構成図である。
【図２】携帯電話の構成図である。
【図３】オーディオ機器の構成図である。
【図４】コンテンツ再生システムにおける処理を説明するフローチャートである。
【図５】プレイリスト及び管理リストファイルの一例を示す構成図である。
【図６】プレイリスト及び管理リストファイルの他の一例を示す構成図である。
【図７】従来のコンテンツ再生システムを示す構成図である。
【符号の説明】
【００６４】
１００  コンテンツ再生システム
２０  携帯型電子機器
２１〜２３  携帯電話
３０  オーディオ機器
【図１】
2008123621.tif 000003
【図２】
2008123621.tif 000004
【図３】
2008123621.tif 000005
【図４】
2008123621.tif 000006
【図５】
2008123621.tif 000007
【図６】
2008123621.tif 000008
【図７】
2008123621.tif 000009